(57)【要約】【課題】  撮像装置に好適な撮影レンズのうち、大口径レンズに用いられる光学系に関し、特にインナーフォーカス機構の搭載によって合焦域全域にわたり歪曲収差を良好に補正しながら諸収差を抑制し、良好な画質を得る事が可能な、大口径比を取る広画角な光学系を提供する。【解決手段】  物体側から像面側に順に、物体側から像面側に順に、正または負の屈折力を持つ第１レンズ群Ｇ１と、正の屈折力を持つ第２レンズ群Ｇ２と、開口絞りＳと、正の屈折力を持つ第３レンズ群Ｇ３とからなり、前記第３レンズ群Ｇ３が有する負の屈折力を持つレンズのうち、最も物体側に配置された第３ＡレンズＬ３Ａは物体側に凹面を有し、無限遠物体から近距離物体への合焦に際して、前記第２レンズ群Ｇ２及び前記第３レンズ群Ｇ３を物体側へ移動し、所定の条件式を満足することを特徴とする光学系。【選択図】図１
2014048488.tif 000002
【特許請求の範囲】
【請求項１】
物体側から像面側に順に、正または負の屈折力を持つ第１レンズ群と、正の屈折力を持つ第２レンズ群と、開口絞りと、正の屈折力を持つ第３レンズ群とからなり、
前記第２レンズ群は、少なくとも１枚の負の屈折力を持つレンズと少なくとも２枚の正の屈折力を持つレンズを有し、
前記第３レンズ群は、少なくとも２枚の負の屈折力を持つレンズと少なくとも２枚の正の屈折力を持つレンズを有し、
前記第３レンズ群が有する負の屈折力を持つレンズのうち、最も物体側に配置された第３Ａレンズは物体側に凹面を有し、
無限遠物体から近距離物体への合焦に際して、前記第２レンズ群及び前記第３レンズ群を物体側へ移動し、
以下に示す条件式（１）乃至（４）を満足することを特徴とする光学系。
（１）νｄ３ａｐ＞５４．０
（２）１．７０＜ｎｄ２ａｐ＜１．８５
（３）ｎｄ３ａｍ＜１．７５
（４）１．５＜｜ｆ２３／Ｒ３Ａ｜＜２．５
νｄ３ａｐ：前記第３レンズ群中の正の屈折力を持つレンズのｄ線のアッベ数の平均
ｎｄ２ａｐ：前記第２レンズ群中の正の屈折力を持つレンズのｄ線の屈折率の平均
ｎｄ３ａｍ：前記第３レンズ群中の負の屈折力を持つレンズのｄ線の屈折率の平均
ｆ２３：無限遠物体合焦時における前記第２レンズ群と前記第３レンズ群の合成焦点距離
Ｒ３Ａ：前記第３Ａレンズの物体側の面の曲率半径
【請求項２】
前記第３レンズ群は、像面側から物体側に順に、物体側に凸面を向けた正の屈折力を持つ第３Ｃレンズと像面側に凹面を向けた負の屈折力を持つ第３Ｂレンズとを有し、前記第３Ｂレンズの像面側の面と前記第３Ｃレンズの物体側の面との間隔はレンズの中心部からレンズの外縁部に向けて小さくなり、以下に示す条件式（５）を満足することを特徴とする請求項１に記載の光学系。
（５）０．０＜ｆ２３×（１／Ｒ３Ｂ−１／Ｒ３Ｃ）＜０．８
Ｒ３Ｂ：前記第３Ｂレンズの像面側の面の曲率半径
Ｒ３Ｃ：前記第３Ｃレンズの物体側の面の曲率半径
【請求項３】
以下に示す条件式（６）乃至（８）を満足することを特徴とする、請求項１または２に記載の光学系。
（６）−０．３０＜ｆ／ｆ１＜０．２０
（７）０．１０＜ｆ２３／ｆ２＜０．７５
（８）０．８０＜ｆ２３／ｆ３＜１．２０
ｆ：無限遠物体合焦時における全光学系の焦点距離
ｆ１：前記第１レンズ群の焦点距離
ｆ２：前記第２レンズ群の焦点距離
ｆ３：前記第３レンズ群の焦点距離
【請求項４】
前記第３レンズ群は、光軸に対して略垂直方向に移動して防振を行う防振群を有し、前記防振群は負の屈折力を持ち、前記第３Ａレンズを含むことを特徴とする、請求項１乃至３いずれかに記載の光学系。
【発明の詳細な説明】
【技術分野】
【０００１】
本発明はスチルカメラ、ビデオカメラ等の撮像装置に好適な撮影レンズのうち、大口径レンズに用いられる光学系に関し、特にインナーフォーカス機構の搭載によって無限遠物体から近距離物体にわたる合焦域全域で高い光学性能を実現した光学系に関する。
【背景技術】
【０００２】
光学系をミラーアップ機構を採用する一眼レフシステムの交換レンズに適応するためには、一定以上のバックフォーカスを確保しておかなくてはならない。こうした長いバックフォーカスを持つ光学系のうち、広い画角を得る為に、レンズの物体側に、軸上マージナル光線を光軸から離れる方向に跳ね上げて主点位置を像面側に移動させ、軸外主光線の角度を緩めるような部分群を配置した、所謂逆望遠タイプが提案されている。
【０００３】
このような逆望遠タイプの光学系は、その構成のパワー配置の非対称性に由来する歪曲収差、倍率色収差、及び非点収差等の諸収差が多く発生する傾向にある。
【０００４】
更に、このような逆望遠タイプの光学系を大口径比とした場合、前記諸収差に加えて球面収差やコマ収差が悪化する上に、開口絞りから像面側のレンズ外径が大型化し、カメラボディとの連結が困難な程大型化することとなる。
【先行技術文献】
【特許文献】
【０００５】
【特許文献１】特開２００９−８６２２１号公報
【特許文献２】特公平８−１２３２６号公報
【発明の概要】
【発明が解決しようとする課題】
【０００６】
こうした問題を解決する為、例えば特許文献１では、主に最終レンズのパワーを適切に制御することで、球面収差やサジタルコマ収差の補正を実現している。
【０００７】
しかしながら、特許文献１に開示されている光学系は、特に近距離物体への合焦時に大きな歪曲収差を発生させている。また、上記光学系は無限遠物体に合焦した際にも顕著な像面の湾曲が見られ、風景や天体の撮影に適さないといった課題もある。
【０００８】
また、特許文献２に開示されている光学系は、合焦域全域にわたり歪曲収差を抑えているものの、球面収差が大きく、サジタルコマフレアも著しい。
【０００９】
また、いずれの特許文献に開示された光学系も、近年スチルカメラ、ビデオカメラ等の撮像装置に用いられる撮影レンズに当然搭載される、手ぶれ等によって生じた光学系の振動による像ぶれを防止する機構、所謂防振機構が備わっていないという課題がある。
【００１０】
そこで本発明は、スチルカメラ、ビデオカメラ等の撮像装置に好適な撮影レンズのうち、大口径レンズに用いられる光学系に関し、特にインナーフォーカス機構の搭載によって無限遠物体から近距離物体にわたる合焦域全域にわたり歪曲収差を良好に補正しながら、球面収差、コマ収差並びに軸上及び倍率の色収差等の諸収差を抑制し、画面全域で良好な画質を得る事が可能な、大口径比を取る広画角な光学系を提供する。
【課題を解決するための手段】
【００１１】
上記課題を解決するための手段である第１の発明は、物体側から像面側に順に、正または負の屈折力を持つ第１レンズ群Ｇ１と、正の屈折力を持つ第２レンズ群Ｇ２と、開口絞りＳと、正の屈折力を持つ第３レンズ群Ｇ３とからなり、前記第２レンズ群Ｇ２は、少なくとも１枚の負の屈折力を持つレンズと少なくとも２枚の正の屈折力を持つレンズを有し、前記第３レンズ群Ｇ３は、少なくとも２枚の負の屈折力を持つレンズと少なくとも２枚の正の屈折力を持つレンズを有し、前記第３レンズ群Ｇ３が有する負の屈折力を持つレンズのうち、最も物体側に配置された第３ＡレンズＬ３Ａは物体側に凹面を有し、無限遠物体から近距離物体への合焦に際して、前記第２レンズ群Ｇ２及び前記第３レンズ群Ｇ３を物体側へ移動し、以下に示す条件式（１）乃至（４）を満足することを特徴とする光学系である。
（１）νｄ３ａｐ＞５４．０
（２）１．７０＜ｎｄ２ａｐ＜１．８５
（３）ｎｄ３ａｍ＜１．７５
（４）１．５＜｜ｆ２３／Ｒ３Ａ｜＜２．５
νｄ３ａｐ：前記第３レンズ群Ｇ３中の正の屈折力を持つレンズのｄ線のアッベ数の平均
ｎｄ２ａｐ：前記第２レンズ群Ｇ２中の正の屈折力を持つレンズのｄ線の屈折率の平均
ｎｄ３ａｍ：前記第３レンズ群Ｇ３中の負の屈折力を持つレンズのｄ線の屈折率の平均
ｆ２３：無限遠物体合焦時における前記第２レンズ群Ｇ２と前記第３レンズ群Ｇ３の合成焦点距離
Ｒ３Ａ：前記第３ＡレンズＬ３Ａの物体側の面の曲率半径
【００１２】
また第２の発明は、第１の発明であってさらに、前記第３レンズ群Ｇ３は、像面側から物体側に順に、物体側に凸面を向けた正の屈折力を持つ第３ＣレンズＬ３Ｃと像面側に凹面を向けた負の屈折力を持つ第３ＢレンズＬ３Ｂとを有し、前記第３ＢレンズＬ３Ｂの像面側の面と前記第３ＣレンズＬ３Ｃの物体側の面との間隔はレンズの中心部からレンズの外縁部に向けて小さくなり、以下に示す条件式（５）を満足することを特徴とする請求項１に記載の光学系である。
（５）０．０＜ｆ２３×（１／Ｒ３Ｂ−１／Ｒ３Ｃ）＜０．８
Ｒ３Ｂ：前記第３ＢレンズＬ３Ｂの像面側の面の曲率半径
Ｒ３Ｃ：前記第３ＣレンズＬ３Ｃの物体側の面の曲率半径
【００１３】
また第３の発明は、第１または２の発明であってさらに、以下に示す条件式（６）乃至（８）を満足することを特徴とする、請求項１または２に記載の光学系である。
（６）−０．３０＜ｆ／ｆ１＜０．２０
（７）０．１０＜ｆ２３／ｆ２＜０．７５
（８）０．８０＜ｆ２３／ｆ３＜１．２０
ｆ：無限遠物体合焦時における全光学系の焦点距離
ｆ１：前記第１レンズ群Ｇ１の焦点距離
ｆ２：前記第２レンズ群Ｇ２の焦点距離
ｆ３：前記第３レンズ群Ｇ３の焦点距離
【００１４】
また第４の発明は、第１乃至３いずれかの発明であってさらに、前記第３レンズ群Ｇ３は、光軸に対して略垂直方向に移動して防振を行う防振群を有し、前記防振群は負の屈折力を持ち、前記第３ＡレンズＬ３Ａを含むことを特徴とする、請求項１乃至３いずれかに記載の光学系である。
【発明の効果】
【００１５】
本発明によれば、スチルカメラ、ビデオカメラ等の撮像装置に好適な撮影レンズのうち、大口径レンズに用いられる光学系に関し、特にインナーフォーカス機構の搭載によって無限遠物体から近距離物体にわたる合焦域全域にわたり歪曲収差を良好に補正しながら、球面収差及びコマ収差並びに軸上、倍率の色収差等の諸収差を抑制し、画面全域で良好な画質を得る事が可能な、大口径比を取る広画角な光学系を提供することができる。
【図面の簡単な説明】
【００１６】
【図１】本発明の実施例１の無限遠物体合焦時でのレンズ構成図である。
【図２】本発明の実施例１の無限遠物体合焦時での縦収差図である。
【図３】本発明の実施例１の近距離物体合焦時での縦収差図である。
【図４】本発明の実施例１の無限遠物体合焦時での横収差図である。
【図５】本発明の実施例１の近距離物体合焦時での横収差図である。
【図６】本発明の実施例２の無限遠物体合焦時でのレンズ構成図である。
【図７】本発明の実施例２の無限遠物体合焦時での縦収差図である。
【図８】本発明の実施例２の近距離物体合焦時での縦収差図である。
【図９】本発明の実施例２の無限遠物体合焦時での横収差図である。
【図１０】本発明の実施例２の近距離物体合焦時での横収差図である。
【図１１】本発明の実施例３の無限遠物体合焦時でのレンズ構成図である。
【図１２】本発明の実施例３の無限遠物体合焦時での縦収差図である。
【図１３】本発明の実施例３の近距離物体合焦時での縦収差図である。
【図１４】本発明の実施例３の無限遠物体合焦時での横収差図である。
【図１５】本発明の実施例３の近距離物体合焦時での横収差図である。
【図１６】本発明の実施例４の無限遠物体合焦時でのレンズ構成図である。
【図１７】本発明の実施例４の無限遠物体合焦時での縦収差図である。
【図１８】本発明の実施例４の近距離物体合焦時での縦収差図である。
【図１９】本発明の実施例４の無限遠物体合焦時での横収差図である。
【図２０】本発明の実施例４の近距離物体合焦時での横収差図である。
【図２１】本発明の実施例５の無限遠物体合焦時でのレンズ構成図である。
【図２２】本発明の実施例５の無限遠物体合焦時での縦収差図である。
【図２３】本発明の実施例５の近距離物体合焦時での縦収差図である。
【図２４】本発明の実施例５の無限遠物体合焦時での横収差図である。
【図２５】本発明の実施例５の近距離物体合焦時での横収差図である。
【図２６】本発明の実施例６の無限遠物体合焦時でのレンズ構成図である。
【図２７】本発明の実施例６の無限遠物体合焦時での縦収差図である。
【図２８】本発明の実施例６の近距離物体合焦時での縦収差図である。
【図２９】本発明の実施例６の無限遠物体合焦時での横収差図である。
【図３０】本発明の実施例６の近距離物体合焦時での横収差図である。
【図３１】本発明の実施例７の無限遠物体合焦時でのレンズ構成図である。
【図３２】本発明の実施例７の無限遠物体合焦時での縦収差図である。
【図３３】本発明の実施例７の近距離物体合焦時での縦収差図である。
【図３４】本発明の実施例７の無限遠物体合焦時での横収差図である。
【図３５】本発明の実施例７の近距離物体合焦時での横収差図である。
【図３６】本発明の実施例８の無限遠物体合焦時でのレンズ構成図である。
【図３７】本発明の実施例８の無限遠物体合焦時での縦収差図である。
【図３８】本発明の実施例８の近距離物体合焦時での縦収差図である。
【図３９】本発明の実施例８の無限遠物体合焦時での横収差図である。
【図４０】本発明の実施例８の近距離物体合焦時での横収差図である。
【図４１】本発明の実施例９の無限遠物体合焦時でのレンズ構成図である。
【図４２】本発明の実施例９の無限遠物体合焦時での縦収差図である。
【図４３】本発明の実施例９の近距離物体合焦時での縦収差図である。
【図４４】本発明の実施例９の無限遠物体合焦時での横収差図である。
【図４５】本発明の実施例９の近距離物体合焦時での横収差図である。
【発明を実施するための形態】
【００１７】
本発明の光学系は、第１の発明として、図１、図６、図１１、図１６、図２１、図２６、図３１、図３６、及び図４１に示す本発明の実施例のレンズ構成図からわかるように、物体側から像面側に順に、正または負の屈折力を持つ第１レンズ群Ｇ１と、正の屈折力を持つ第２レンズ群Ｇ２と、開口絞りＳと、正の屈折力を持つ第３レンズ群Ｇ３とからなり、前記第２レンズ群Ｇ２は、少なくとも１枚の負の屈折力を持つレンズと少なくとも２枚の正の屈折力を持つレンズを有し、前記第３レンズ群Ｇ３は、少なくとも２枚の負の屈折力を持つレンズと少なくとも２枚の正の屈折力を持つレンズを有し、前記第３レンズ群Ｇ３が有する負の屈折力を持つレンズのうち、最も物体側に配置された第３ＡレンズＬ３Ａは物体側に凹面を有し、無限遠物体から近距離物体への合焦に際して、前記第２レンズ群Ｇ２及び前記第３レンズ群Ｇ３を物体側へ移動する事を特徴とする。
【００１８】
まず第２レンズ群Ｇ２及び第３レンズ群Ｇ３の屈折力配置について説明する。一般に逆望遠タイプの光学系においては、物体側のレンズ群以降で軸上マージナル光線高が跳ね上がるため、球面収差等の諸収差が悪化し易く、大口径比とすることが困難である。加えて、開口絞りを機構上の制約から一定以上像面から離し、一定以内の大きさに収めなければならない場合、軸上マージナル光線を光軸に近付く方向に折り曲げる必要があり、大口径比とすることはさらに困難となる。
【００１９】
そこで第１の発明である光学系は、第２レンズ群Ｇ２に２枚以上の正の屈折力を持つレンズを有する。このような構成により、物体側に配置された正の屈折力を持つレンズによって軸上マージナル光線を光軸に近付く方向に折り曲げて開口絞りの大型化を防ぎ、像面側に配置された正の屈折力を持つレンズと負の屈折力を持つレンズとの組み合わせによって諸収差を補正することが可能となった。
【００２０】
また、第１の発明である光学系は、第３レンズ群Ｇ３に２枚以上の負の屈折力を持つレンズを有する。このような構成により、物体側に配置された負の屈折力を持つレンズが軸上マージナル光線を光軸から離れる方向に折り曲げてバックフォーカスを広げ、像面側に配置された負の屈折力を持つレンズと正の屈折力を持つレンズとの組み合わせによって諸収差を補正することが可能となった。
【００２１】
また、第１の発明である光学系は、第３レンズ群Ｇ３に２枚以上の正の屈折力を持つレンズを有する。このような構成により、正の屈折力を分割して球面収差等の諸収差の悪化を防ぎ、レンズに使用する硝材を多種多様な選択肢から選択できるようになった。
【００２２】
また、第１の発明である光学系は、以下に示す条件式（１）乃至（４）を満足することを特徴とする。これにより、先述した第２レンズ群Ｇ２及び第３レンズ群Ｇ３の効果を引き出すことが出来るようになった。
（１）νｄ３ａｐ＞５４．０
（２）１．７０＜ｎｄ２ａｐ＜１．８５
（３）ｎｄ３ａｍ＜１．７５
（４）１．５＜｜ｆ２３／Ｒ３Ａ｜＜２．５
νｄ３ａｐ：前記第３レンズ群Ｇ３中の正の屈折力を持つレンズのｄ線のアッベ数の平均
ｎｄ２ａｐ：前記第２レンズ群Ｇ２中の正の屈折力を持つレンズのｄ線の屈折率の平均
ｎｄ３ａｍ：前記第３レンズ群Ｇ３中の負の屈折力を持つレンズのｄ線の屈折率の平均
ｆ２３：無限遠物体合焦時における前記第２レンズ群Ｇ２と前記第３レンズ群Ｇ３の合成焦点距離
Ｒ３Ａ：前記第３ＡレンズＬ３Ａの物体側の面の曲率半径
【００２３】
条件式（１）は第３レンズ群Ｇ３の正の屈折力を持つレンズのアッベ数を規定するものである。条件式（１）の下限値を超え、第３レンズ群Ｇ３の正の屈折力を持つレンズのアッベ数の平均が小さくなると、軸上色収差、倍率色収差を補正することが困難になる。
【００２４】
条件式（２）は第２レンズ群Ｇ２の正の屈折力を持つレンズの屈折率を規定するものである。条件式（２）の下限値を超え、第２レンズ群Ｇ２の正の屈折力を持つレンズの屈折率の平均が小さくなると、ペッツバール和が増大し、像面湾曲が悪化する。
【００２５】
また、条件式（２）の上限値を超え、第２レンズ群Ｇ２の正の屈折力を持つレンズの屈折率の平均が大きくなると、コマ収差が悪化し、硝材の選択肢が制限される為軸上色収差の補正が困難になる。
【００２６】
条件式（３）は第３レンズ群Ｇ３の負の屈折力を持つレンズの屈折率を規定するものである。条件式（３）の上限値を超え、第３レンズ群Ｇ３の負の屈折力を持つレンズの屈折率の平均が大きくなると、ペッツバール和が増大し、像面湾曲が悪化する。
【００２７】
条件式（４）は前記第３レンズ群Ｇ３の最も物体側の面の曲率半径を規定するものである。条件式（４）の下限値を超え、第３レンズ群Ｇ３の最も物体側の面の曲率半径が絶対値で大きくなると、球面収差、非点収差の補正が不十分になる。
【００２８】
また、条件式（４）の上限値を超え、第３レンズ群Ｇ３の最も物体側の面の曲率半径が絶対値で小さくなると、コマ収差が悪化する。
【００２９】
また第２の発明である光学系は、第１の発明であってさらに、前記第３レンズ群Ｇ３は、像面側から物体側に順に、物体側に凸面を向けた正の屈折力を持つ第３ＣレンズＬ３Ｃと像面側に凹面を向けた負の屈折力を持つ第３ＢレンズＬ３Ｂとを有し、前記第３ＢレンズＬ３Ｂの像面側の面と前記第３ＣレンズＬ３Ｃの物体側の面との間隔はレンズの中心部からレンズの外縁部に向けて小さくなり、以下に示す条件式（５）を満足することを特徴とする。
（５）０．０＜ｆ２３×（１／Ｒ３Ｂ−１／Ｒ３Ｃ）＜０．８
Ｒ３Ｂ：前記第３ＢレンズＬ３Ｂの像面側の面の曲率半径
Ｒ３Ｃ：前記第３ＣレンズＬ３Ｃの物体側の面の曲率半径
【００３０】
条件式（５）は前記第３レンズ群Ｇ３を構成する負レンズと正レンズで挟まれた空気レンズの形状を規定するものである。この条件式により、第３レンズ群Ｇ３の最も像面側に配置された２枚のレンズ間の空気間隔により負の屈折力を持つ空気レンズが形成される。条件式（５）の下限値を超え、Ｒ３ＢとＲ３Ｃの差が小さくなると、前記第２レンズ群Ｇ２で発生した正の歪曲収差や非点収差の補正が困難になる。前記第１レンズ群Ｇ１で前記歪曲収差や非点収差を補正する場合、合焦距離の変化により補正のバランスが崩れるため好ましくない。
【００３１】
また、条件式（５）の上限値を超え、Ｒ３ＢとＲ３Ｃの差が大きくなると、非点収差等が補正過剰となり、コマ収差が悪化する。
【００３２】
また第３の発明である光学系は、第１または２の発明であってさらに、以下に示す条件式（６）乃至（８）を満足することを特徴とする。
（６）−０．３０＜ｆ／ｆ１＜０．２０
（７）０．１０＜ｆ２３／ｆ２＜０．７５
（８）０．８０＜ｆ２３／ｆ３＜１．２０
ｆ：無限遠物体合焦時における全光学系の焦点距離
ｆ１：前記第１レンズ群Ｇ１の焦点距離
ｆ２：前記第２レンズ群Ｇ２の焦点距離
ｆ３：前記第３レンズ群Ｇ３の焦点距離
【００３３】
条件式（６）は前記第１レンズ群Ｇ１の屈折力を規定するものである。条件式（６）の上限値を超え、第１レンズ群Ｇ１の正の屈折力が大きくなると、バックフォーカスの確保が困難になる。
【００３４】
また、条件式（６）の下限値を超え、第１レンズ群Ｇ１の負の屈折力が大きくなると、第１レンズ群Ｇ１や第２レンズ群Ｇ２のレンズ径が拡大する他、歪曲収差が悪化する。
【００３５】
条件式（７）は第２レンズ群と第３レンズ群の合成焦点距離と第２レンズ群Ｇ２の焦点距離の比を規定するものである。条件式（７）の下限値を超え、第２レンズ群Ｇ２の屈折力が相対的に小さくなると、第１レンズ群Ｇ１と第３レンズ群Ｇ３で発生する非点収差やサジタルコマフレア等を抑制することが困難になるほか、第３レンズ群Ｇ３のレンズの径が拡張する。
【００３６】
また、条件式（７）の上限値を超え、第２レンズ群Ｇ２の屈折力が相対的に大きくなると、軸上色収差等の補正が困難になる。
【００３７】
条件式（８）は第２レンズ群と第３レンズ群の合成焦点距離と第２レンズ群Ｌ３の焦点距離の比を規定するものである。条件式（８）の下限値を超え、第３レンズ群Ｇ３の屈折力が相対的に小さくなると、第２レンズ群Ｇ２で発生する像面湾曲やコマ収差等を抑制することが困難になるほか、最も像面側のレンズ径が拡張し、機構的に好ましくない。
【００３８】
また、条件式（８）の上限値を超え、第３レンズ群Ｇ３の屈折力が相対的に大きくなると、軸上色収差、倍率色収差等の補正が困難になる。
【００３９】
そこで第４の発明である光学系は、図４１に示す本発明の実施例９のレンズ構成図からわかるように、第１乃至３いずれかの発明であってさらに、前記第３レンズ群Ｇ３は、光軸に対して略垂直方向に移動して防振を行う防振群を有し、前記防振群は負の屈折力を持ち、前記第３ＡレンズＬ３Ａを含むことを特徴とする。
【００４０】
防振レンズのレンズ径を小さくすると、防振レンズの軽量化が可能であり、更にアクチュエータ等を含めた防振ユニットの軽量化と小型化が出来るので、レンズ鏡筒の小型化に寄与する。そこで第４の発明では、前記第３Ａレンズを含み、全体として負の屈折力を持つ防振群を第３レンズ群Ｇ３の最も物体側に有する構成とした。第３Ａレンズは最大光線高が十分低く、一定以上のパワーを付加し易いため、防振レンズとして相応しい。このような構成により、防振群は最大光線高が低く、かつ一定以上の屈折力を持ち、防振係数が確保しやすい場所に配置することができた。
【００４１】
次に、本発明の光学系に係る実施例のレンズ構成について説明する。なお、以下の説明ではレンズ構成を物体側から像面側の順番で記載する。
【実施例１】
【００４２】
図１は、本発明の実施例１の光学系のレンズ構成図である。第１レンズ群Ｇ１は、物体側に非球面を形成した物体側に凸面を向けた負メニスカスレンズ、物体側に凸面を向けた負メニスカスレンズ、両凸レンズ、両凹レンズ、並びに両凸レンズから構成され、全体として負の屈折力を持つ。
【００４３】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００４４】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００４５】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例２】
【００４６】
図６は、本発明の実施例１の光学系のレンズ構成図である。第１レンズ群Ｇ１は、物体側に非球面を形成した物体側に凸面を向けた負メニスカスレンズ、両凹レンズ、両凸レンズ、両凹レンズ、並びに両凸レンズから構成され、全体として負の屈折力を持つ。
【００４７】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００４８】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００４９】
第３レンズ群Ｇ３は、像面側に凸面を向けた正メニスカスレンズと両凹レンズと両凸レンズから成り、負の屈折力を持つ３枚接合レンズ、両凸レンズ、物体側に凸面を向けた負メニスカスレンズ、並びに像面側に非球面を形成した両凸レンズから構成され、全体として正の屈折力を持つ。
【実施例３】
【００５０】
図１１は、本発明の実施例３の光学系のレンズ構成図である。第１レンズ群Ｇ１は、物体側に非球面を形成した物体側に凸面を向けた負メニスカスレンズ、両凹レンズ、両凸レンズ、両凹レンズ、並びに両凸レンズから構成され、全体として負の屈折力を持つ。
【００５１】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００５２】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００５３】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例４】
【００５４】
図１６は、本発明の実施例４の光学系のレンズ構成図である。第１レンズ群Ｇ１は、物体側に非球面を形成した物体側に凸面を向けた負メニスカスレンズ、両凹レンズ、両凸レンズ、両凹レンズ、並びに両凸レンズから構成され、全体として負の屈折力を持つ。
【００５５】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００５６】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００５７】
第３レンズ群Ｇ３は、両凹レンズ及び両凸レンズから成り、負の屈折力を持つ接合レンズ、両凸レンズ、物体側に非球面を形成した両凹レンズ、並びに両凸レンズから構成され、全体として正の屈折力を持つ。
【実施例５】
【００５８】
図２１は、本発明の実施例５の光学系のレンズ構成図である。第１レンズ群Ｇ１は、物体側に非球面を形成した物体側に凸面を向けた負メニスカスレンズ、両凹レンズ、両凸レンズ、並びに両凹レンズ及び両凸レンズから成り、負の屈折力を持つ接合レンズから構成され、全体として負の屈折力を持つ。
【００５９】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００６０】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００６１】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例６】
【００６２】
図２６は、本発明の実施例６の光学系のレンズ構成図である。第１レンズ群Ｇ１は物体側に凸面を向けた負メニスカスレンズ、物体側に凸面を向けた負メニスカスレンズ、像面側に凸面を向けた正メニスカスレンズ、両凹レンズ、並びに両凸レンズから構成され、全体として負の屈折力を持つ。
【００６３】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００６４】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００６５】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例７】
【００６６】
図３１は、本発明の実施例７の光学系のレンズ構成図である。第１レンズ群Ｇ１は、物体側に非球面を形成した物体側に凸面を向けた負メニスカスレンズ、物体側に凸面を向けた負メニスカスレンズ、両凹レンズ及び両凸レンズから成り、負の屈折力を持つ接合レンズ、並びに両凸レンズから構成され、全体として正の屈折力を持つ。
【００６７】
第２レンズ群Ｇ２は、両凸レンズ、並びに像面側に凸面を向けた正メニスカスレンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００６８】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００６９】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例８】
【００７０】
図３６は、本発明の実施例８の光学系のレンズ構成図である。第１レンズ群Ｇ１は、物体側に非球面を形成した物体側に凸面を向けた負メニスカスレンズ、両凹レンズ、両凸レンズ、並びに両凸レンズ及び像面側に凸面を向けた負メニスカスレンズから成り、正の屈折力を持つ接合レンズから構成され、全体として正の屈折力を持つ。
【００７１】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と同じ軌跡で物体側へ移動する。
【００７２】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００７３】
第３レンズ群Ｇ３は、両凹レンズ及び両凸レンズから成り、負の屈折力を持つ接合レンズ、両凸レンズ、物体側に凸面を向けた負メニスカスレンズ、並びに像面側に非球面を形成した両凸レンズから構成され、全体として正の屈折力を持つ。
【実施例９】
【００７４】
図４１は、本発明の実施例９の光学系のレンズ構成図である。第１レンズ群Ｇ１は、物体側に非球面を形成した物体側に凸面を向けた負メニスカスレンズ、両凹レンズ、両凸レンズ、両凹レンズ、並びに両凸レンズから構成され、全体として負の屈折力を持つ。
【００７５】
第２レンズ群Ｇ２は、両凸レンズ、並びに両凸レンズ及び両凹レンズから成り、負の屈折力を持つ接合レンズから構成され、全体として正の屈折力を持つ。また、第２レンズ群Ｇ２は、無限遠物体から近距離物体への合焦に際して、第３レンズ群Ｇ３と異なる軌跡で物体側へ移動する。
【００７６】
開口絞りＳは第２レンズ群Ｇ２と第３レンズ群Ｇ３との間に配置され、無限遠物体から近距離物体への合焦に際して、第３レンズ群Ｇ３と同じ軌跡で物体側へ移動する。
【００７７】
第３レンズ群Ｇ３は、両凹レンズ及び両凸レンズから成り負の屈折力を持つ第３１接合レンズＬ３１、両凸レンズ、物体側に凸面を向けた負メニスカスレンズ、並びに像面側に非球面を形成した両凸レンズから構成され、全体として正の屈折力を持つ。
【００７８】
なお、第３１接合レンズＬ３１は、防振に際して光軸と垂直な方向に移動する。
【００７９】
以下に、前述した本発明の結像光学系の各実施例の具体的な数値データを示す。
【００８０】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００８１】
面番号に付した＊（アスタリスク）は、そのレンズ面形状が非球面であることを示している。また、ＢＦはバックフォーカスを表している。
【００８２】
面番号に付した（開口絞り）は、その位置に開口絞りが位置していることを示している。平面又は開口絞りに対する曲率半径には∞（無限大）を記入している。
【００８３】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０、１２次の非球面係数をそれぞれＡ４、Ａ６、Ａ８、Ａ１０、Ａ１２と置くとき、非球面の座標が以下の式で表されるものとする。
2014048488.tif 000003
【００８４】
［各種データ］には、ズーム比及び各焦点距離状態における焦点距離等の値を示している。
【００８５】
［可変間隔データ］には、各焦点距離状態における可変間隔及びＢＦの値を示している。
【００８６】
［レンズ群データ］には、各レンズ群を構成する最も物体側の面番号及び群全体の合成焦点距離を示している。
【００８７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００８８】
数値実施例1
単位：mm
[面データ]
面番号             r             d             nd            vd
物面                ∞          (d0)
1*            50.5842        2.5000       1.69350         53.20
2             23.1709       11.7715
3           2044.1298        3.2654       1.49700         81.61
4             37.4381        4.1724
5            136.3766        4.2391       2.00100         29.13
6           -127.7265        4.4367
7            -35.7146        1.2000       1.69895         30.05
8            822.2454        0.3879
9             77.6025        9.1744       1.59282         68.62
10           -44.1501         (d10)
11            60.3931        6.2385       2.00100         29.13
12          -187.0662        0.1500
13           125.7287        9.5628       1.59282         68.62
14           -33.2948        1.0000       1.62004         36.30
15            35.6158         (d15)
16(絞り)              ∞        6.0424
17           -26.3158        1.0000       1.72825         28.32
18           179.6186        3.9898       1.49700         81.61
19           -68.7121        0.1500
20            70.0035        7.7507       1.49700         81.61
21           -44.2010        0.1500
22            72.0597        1.0000       1.48749         70.44
23            45.6279        1.5359
24            95.1172        4.8511       1.77250         49.47
25*           -61.3785          (BF)
像面                ∞
[非球面データ]
1面           25面
K               0.0000        0.0000
A4         1.80394E-06   4.86772E-06
A6         1.45496E-09   1.45251E-10
A8        -3.05116E-12   7.65275E-13
A10         5.94075E-15   5.79711E-15
A12        -4.37595E-18  -5.77613E-18
[各種データ]
INF          301mm
焦点距離           32.18
Fナンバー            1.45          1.64
全画角2ω           68.51         63.87
像高Y             21.63         21.63
レンズ全長         136.98        136.98
[可変間隔データ]
INF          301mm
d0                 ∞      164.0000
d10             6.0376        1.0000
d15             7.1937        5.9317
BF            39.2000       45.4995
[レンズ群データ]
群           始面           焦点距離
G1            1             -148.84
G2            11              83.26
G3            16              51.79
G2-3           11              50.71
【００８９】
数値実施例2
単位：mm
[面データ]
面番号             r             d             nd            vd
物面                ∞          (d0)
1*            54.8093        2.5000       1.58913         61.25
2             22.9079       12.4965
3           -302.7108        1.5000       1.43700         95.10
4             40.2511        4.2066
5            189.9591        4.1095       2.00100         29.13
6           -112.0182        4.0908
7            -37.1273        1.2000       1.72825         28.32
8            739.9651        0.1500
9             75.0918        8.9795       1.59282         68.62
10           -46.5598         (d10)
11            59.8535        6.1083       2.00100         29.13
12          -221.4468        0.1500
13            91.3075        9.4802       1.59282         68.62
14           -36.8173        1.0000       1.62588         35.74
15            38.3365         (d15)
16(絞り)              ∞        5.4464
17           -30.1074        2.2567       1.72916         54.67
18           -23.4746        1.0000       1.80610         33.27
19           102.0873        3.9802       1.49700         81.61
20           -96.8495        0.1500
21            70.5967        6.5925       1.59282         68.62
22           -49.3180        0.1500
23            89.6698        1.0000       1.54072         47.20
24            42.4371        1.2925
25            70.4600        5.2188       1.77250         49.47
26*           -64.5874          (BF)
像面                ∞
[非球面データ]
1面           26面
K               0.0000        0.0000
A4         1.87129E-06   4.77625E-06
A6         1.55981E-09   8.57520E-11
A8        -3.15887E-12   6.12882E-13
A10         6.15761E-15   7.51155E-15
A12        -4.44652E-18  -7.67045E-18
[各種データ]
INF          300mm
焦点距離           33.11
Fナンバー            1.45          1.66
全画角2ω           66.93         61.83
像高Y             21.63         21.63
レンズ全長         135.98        135.98
[可変間隔データ]
INF          300mm
d0                 ∞      164.0000
d10             6.7766        1.0000
d15             6.9649        5.8015
BF            39.1999       46.1399
[レンズ群データ]
群           始面           焦点距離
G1            1             -133.90
G2            11              71.87
G3            16              54.36
G2-3           11              50.30
【００９０】
数値実施例3
単位：mm
[面データ]
面番号             r             d             nd            vd
物面                ∞          (d0)
1*            51.6928        2.5000       1.58913         61.25
2             23.1387       13.8467
3           -108.9590        1.5000       1.43700         95.10
4             47.6787        3.5755
5            196.1242        4.5045       2.00100         29.13
6            -94.0062        3.8127
7            -37.6685        1.3000       1.72825         28.32
8            606.2428        0.1500
9             79.8753        8.9087       1.59282         68.62
10           -46.6701         (d10)
11            61.2667        5.7369       2.00100         29.13
12          -336.7562        0.1500
13            74.1753        8.8511       1.59282         68.62
14           -45.3970        1.5000       1.60342         38.01
15            35.4664         (d15)
16(絞り)              ∞        5.5151
17           -30.0000        1.2500       1.80518         25.46
18           119.7609        4.9960       1.43700         95.10
19           -68.8075        0.1500
20            70.0035        6.2650       1.56883         56.04
21           -57.8073        0.1500
22            86.6673        1.1000       1.48749         70.44
23            41.4963        1.6662
24            83.8165        5.2749       1.77250         49.47
25*           -56.3959          (BF)
像面                ∞
[非球面データ]
1面           25面
K               0.0000        0.0000
A4         1.65056E-06   4.37160E-06
A6         1.96288E-09  -2.86290E-10
A8        -3.82080E-12  -4.07099E-13
A10         7.44465E-15   7.96087E-15
A12        -5.09935E-18  -7.28754E-18
[各種データ]
INF          300mm
焦点距離           34.00
Fナンバー            1.45          1.67
全画角2ω           65.49         60.42
像高Y             21.60         21.60
レンズ全長         135.98        135.98
[可変間隔データ]
INF          300mm
d0                 ∞      164.0000
d10             7.0345        1.0000
d15             7.0624        5.9204
BF            39.2000       46.3765
[レンズ群データ]
群           始面           焦点距離
G1            1             -156.71
G2            11              74.82
G3            16              55.52
G2-3           11              50.97
【００９１】
数値実施例4
単位：mm
[面データ]
面番号             r             d             nd            vd
物面                ∞          (d0)
1*            51.8624        2.5000       1.58913         61.25
2             23.2480       14.0665
3           -125.4639        1.5000       1.43700         95.10
4             59.2477        2.7352
5            177.4138        4.2614       2.00100         29.13
6           -116.3349        3.9519
7            -39.4375        1.3000       1.72825         28.32
8            398.8043        0.2712
9             73.1654        8.8625       1.59282         68.62
10           -50.0498         (d10)
11            54.2107        6.0539       2.00100         29.13
12          -452.3459        0.1500
13           111.4174        8.6383       1.60625         63.71
14           -40.8650        1.5000       1.61293         36.96
15            43.2524         (d15)
16(絞り)              ∞        5.6552
17           -28.6526        1.2500       1.72825         28.32
18            45.5318        4.3091       1.59282         68.62
19          -454.5267        0.1500
20            70.0035        6.3705       1.59282         68.62
21           -49.6679        0.1500
22*          -186.5040        1.1000       1.69350         53.20
23            46.8561        0.3229
24            51.2040        7.4393       1.80420         46.50
25           -40.7915          (BF)
像面                ∞
[非球面データ]
1面           22面
K               0.0000        0.0000
A4         1.81501E-06  -8.88489E-06
A6         1.05655E-09  -1.53763E-09
A8        -1.63693E-14   2.41639E-12
A10         0.00000E+00   0.00000E+00
A12         0.00000E+00   0.00000E+00
[各種データ]
INF          300mm
焦点距離           35.16
Fナンバー            1.45          1.68
全画角2ω           63.79         58.35
像高Y             21.60         21.60
レンズ全長         135.98        135.98
[可変間隔データ]
INF          300mm
d0                 ∞      164.0000
d10             7.5458        1.0000
d15             6.7163        5.4213
BF            39.2050       47.0458
[レンズ群データ]
群           始面           焦点距離
G1            1             -159.11
G2            11              68.96
G3            16              58.79
G2-3           11              50.81
【００９２】
数値実施例5
単位：mm
[面データ]
面番号             r             d             nd            vd
物面                ∞          (d0)
1*            48.9291        2.0000       1.77250         49.47
2             26.3855       12.5377
3           -160.2321        1.5000       1.43700         95.10
4             61.3358        5.8870
5            110.8607        4.5405       2.00100         29.13
6           -152.8613        3.6532
7            -47.9233        1.3000       1.69895         30.05
8             50.3949        7.4876       1.88300         40.81
9           -115.0389          (d9)
10            69.2366        5.9206       2.00100         29.13
11          -162.0071        0.1500
12            44.2862        9.2462       1.59282         68.62
13           -65.4209        1.5000       1.72825         28.32
14            29.3345         (d14)
15(絞り)              ∞        6.0663
16           -28.4925        1.2500       1.90366         31.32
17           650.0127        3.6104       1.59282         68.62
18           -65.2317        0.2600
19            72.9118        6.4190       1.59282         68.62
20           -48.3095        0.1500
21           100.0281        1.1000       1.51680         64.20
22            41.9661        1.6342
23            79.4509        5.4334       1.77250         49.47
24*           -63.3258          (BF)
像面                ∞
[非球面データ]
1面           24面
K               0.0000        0.0000
A4         1.23717E-06   4.64639E-06
A6         7.48678E-10  -7.91796E-10
A8         2.08694E-13   3.22418E-12
A10         0.00000E+00   0.00000E+00
A12         0.00000E+00   0.00000E+00
[各種データ]
INF          300mm
焦点距離           34.88
Fナンバー            1.45          1.70
全画角2ω           64.19         56.76
像高Y             21.60         21.60
レンズ全長         135.98        135.98
[可変間隔データ]
INF          300mm
d0                 ∞      164.0000
d9             8.7886        1.0000
d14             6.3652        5.9408
BF            39.2000       47.4130
[レンズ群データ]
群           始面           焦点距離
G1            1             -117.97
G2            10              74.98
G3            15              50.35
G2-3           10              49.53
【００９３】
数値実施例6
単位：mm
[面データ]
面番号             r             d             nd            vd
物面                ∞          (d0)
1             53.0660        2.0000       1.72916         54.67
2             28.0338        9.8519
3            318.3657        1.5000       1.43700         95.10
4             41.0804        7.5990
5           -446.3775        3.2148       2.00100         29.13
6            -92.1295        5.4332
7            -46.5250        1.3000       1.64769         33.84
8            292.9091        0.1500
9             66.6667        8.6601       1.59282         68.62
10           -54.5793         (d10)
11            55.1110        5.4559       2.00100         29.13
12         -1970.1781        0.1500
13            83.5124        8.9535       1.61881         63.86
14           -42.7182        1.5000       1.62588         35.74
15            34.1698         (d15)
16(絞り)              ∞        6.3010
17           -25.6410        1.2500       1.72825         28.32
18            59.2728        4.9733       1.59282         68.62
19           -90.7951        0.2600
20            84.6607        5.5266       1.80420         46.50
21           -73.8298        0.1500
22            71.9424        1.1000       1.74330         49.22
23            41.2610        1.9977
24           100.5894        5.3992       1.77250         49.47
25*           -55.0869          (BF)
像面                ∞
[非球面データ]
25面
K               0.0000
A4         4.46354E-06
A6        -1.20518E-09
A8         2.59723E-12
A10         0.00000E+00
A12         0.00000E+00
[各種データ]
INF          300mm
焦点距離           35.58
Fナンバー            1.45          1.68
全画角2ω           63.08         58.94
像高Y             21.60         21.60
レンズ全長         135.98        135.98
[可変間隔データ]
INF          300mm
d0                 ∞      164.0000
d10             6.7426        1.0000
d15             7.3312        5.5523
BF            39.2048       46.7363
[レンズ群データ]
群           始面           焦点距離
G1            1             -251.11
G2            11              89.22
G3            16              54.60
G2-3           11              52.68
【００９４】
数値実施例7
単位：mm
[面データ]
面番号             r             d             nd            vd
物面                ∞          (d0)
1*            45.3150        2.5000       1.49710         81.56
2             25.0000        7.9680
3             55.0876        1.5000       1.43700         95.10
4             33.3333       10.5573
5            -45.1982        1.3000       1.90366         31.32
6             45.8858        9.3913       1.51823         58.96
7            -56.0929        0.1500
8             71.4286        7.1942       1.91082         35.25
9            -84.8809          (d9)
10            52.3822        6.0088       2.00100         29.13
11          -607.6106        0.3303
12         -2432.0455        8.7356       1.59282         68.62
13           -30.0444        1.5000       1.60342         38.01
14            34.1738         (d14)
15(絞り)              ∞        6.0150
16           -25.6410        1.2500       1.76182         26.61
17           124.7857        3.8964       1.49700         81.61
18           -82.5962        0.2600
19            81.3723        6.7754       1.59282         68.62
20           -40.7805        0.1500
21           153.0214        1.1000       1.56732         42.84
22            49.7374        0.9818
23            73.9453        5.3886       1.77250         49.47
24*           -56.2203          (BF)
像面                ∞
[非球面データ]
1面           24面
K               0.0000        0.0000
A4         1.79464E-06   5.51226E-06
A6         2.26157E-09  -4.24369E-10
A8        -2.12078E-12   4.39410E-12
A10         3.81184E-15   1.99094E-15
A12         0.00000E+00   0.00000E+00
[各種データ]
INF          300mm
焦点距離           34.26
Fナンバー            1.45          1.65
全画角2ω           64.49         61.93
像高Y             21.60         21.60
レンズ全長         135.98        135.98
[可変間隔データ]
INF          300mm
d0                 ∞      164.0000
d9             7.5345        2.0721
d14             6.3128        5.3507
BF            39.2050       45.6395
[レンズ群データ]
群           始面           焦点距離
G1            1              435.30
G2            10             168.58
G3            15              51.00
G2-3           10              54.87
【００９５】
数値実施例8
単位：mm
[面データ]
面番号             r             d             nd            vd
物面                ∞          (d0)
1*            63.0546        2.0000       1.77250         49.47
2             30.0000       14.7936
3            -50.8052        1.5000       1.48746         70.44
4             57.8047        6.3533
5             65.6378        8.4421       1.88100         40.14
6           -107.6203        0.1500
7            133.3385        9.1259       1.59282         68.62
8            -43.0980        1.5000       1.72825         28.32
9           -180.7705          (d9)
10            48.3068        5.1260       2.00100         29.13
11          -841.9389        0.6368
12           115.0567        4.7774       1.43700         95.10
13           -67.2656        1.0000       1.80610         33.27
14            38.2877        7.6189
15(絞り)              ∞        5.9329
16           -25.7947        1.5000       1.72825         28.32
17            63.7947        3.4209       1.59282         68.62
18          -838.1400        0.1500
19            73.4716        6.4798       1.72916         54.67
20           -44.3377        0.1500
21           108.9148        1.0000       1.48749         70.44
22            38.8746        1.5606
23            64.7620        5.4960       1.77250         49.47
24*           -68.4107          (BF)
像面                ∞
[非球面データ]
1面           24面
K               0.0000        0.0000
A4         6.31499E-07   5.30423E-06
A6         5.56741E-10  -1.58468E-09
A8        -2.70194E-13   8.26875E-12
A10         0.00000E+00   0.00000E+00
A12         0.00000E+00   0.00000E+00
[各種データ]
INF          300mm
焦点距離           36.04
Fナンバー            1.45          1.67
全画角2ω           62.01         59.38
像高Y             21.60         21.60
レンズ全長         135.99        135.99
[可変間隔データ]
INF          300mm
d0                 ∞      164.0000
d9             8.0857        1.0000
BF            39.2000       46.2857
[レンズ群データ]
群           始面           焦点距離
G1            1              213.02
G2            10             321.48
G3            15              48.99
G2-3           10              54.69
【００９６】
数値実施例9
単位：mm
[面データ]
面番号             r             d             nd            vd
物面                ∞          (d0)
1*            52.2883        2.5000       1.58913         61.25
2             23.0423       13.1635
3           -155.5038        1.5000       1.49700         81.61
4             44.3997        3.3592
5            125.4216        4.6139       2.00100         29.13
6           -113.5619        4.2567
7            -36.5945        1.2000       1.67270         32.17
8            250.2829        0.1500
9             77.6456        8.7488       1.59282         68.62
10           -47.5643         (d10)
11            68.2971        6.1431       2.00100         29.13
12          -144.5468        0.1500
13            58.7878        9.2843       1.59282         68.62
14           -45.0093        1.0000       1.72825         28.32
15            35.8881         (d15)
16(絞り)              ∞        5.8059
17           -30.9494        3.3792       1.80610         33.27
18          1795.2403        4.7969       1.49700         81.61
19           -40.0000        0.5000
20           113.2824        4.2084       1.49700         81.61
21          -115.5302        0.1500
22           101.5944        1.0000       1.53172         48.84
23            50.4117        1.2183
24            92.4143        5.4709       1.77250         49.47
25*           -50.7738          (BF)
像面                ∞
[非球面データ]
1面           25面
K               0.0000        0.0000
A4         1.81735E-06   3.42421E-06
A6         2.23456E-09  -1.01441E-09
A8        -5.04369E-12  -4.00398E-13
A10         9.86857E-15   8.14473E-15
A12        -6.93589E-18  -1.22847E-17
[各種データ]
INF          300mm
焦点距離           33.53
Fナンバー            1.45          1.67
全画角2ω           66.32         59.89
像高Y             21.63         21.63
レンズ全長         135.98        135.98
[可変間隔データ]
INF          300mm
d0                 ∞      164.0000
d10             7.8558        1.0000
d15             6.3451        5.9883
BF            39.2000       45.4995
[レンズ群データ]
群           始面           焦点距離
G1            1             -129.30
G2            11              75.66
G3            16              52.26
G2-3           11              49.93
G3A            17             -82.29
【００９７】
また、これらの各実施例における条件式の対応値の一覧を示す。
[条件式対応値]
条件式＼実施例                  1          2          3
(1)νd3ap＞54.0                          70.90      63.60      66.87
(2)1.70＜nd2ap＜1.85                     1.797      1.797      1.797
(3)nd3am＜1.75                            1.61       1.67       1.65
(4)1.5＜|f23/R3A|＜2.5                   -1.93      -2.14      -1.70
(5)0.0＜f23×(1/R3B-1/R3C)＜0.8          0.578      0.471      0.620
(6)-0.30＜f/f1＜0.20                     -0.22      -0.25      -0.22
(7)0.10＜f23/f2＜0.75                     0.61       0.70       0.68
(8)0.80＜f23/f3＜1.20                     0.98       0.93       0.92
条件式＼実施例                  4          5          6
(1)νd3ap＞54.0                          61.25      62.24      54.87
(2)1.70＜nd2ap＜1.85                     1.804      1.797      1.810
(3)nd3am＜1.75                            1.71       1.71       1.74
(4)1.5＜|f23/R3A|＜2.5                   -1.77      -1.74      -2.05
(5)0.0＜f23×(1/R3B-1/R3C)＜0.8          0.092      0.557      0.753
(6)-0.30＜f/f1＜0.20                     -0.22      -0.30      -0.14
(7)0.10＜f23/f2＜0.75                     0.74       0.66       0.59
(8)0.80＜f23/f3＜1.20                     0.86       0.98       0.96
条件式＼実施例                  7          8          9
(1)νd3ap＞54.0                          66.57      57.59      70.90
(2)1.70＜nd2ap＜1.85                     1.797      1.719      1.797
(3)nd3am＜1.75                            1.66       1.61       1.67
(4)1.5＜|f23/R3A|＜2.5                   -2.14      -2.12      -1.61
(5)0.0＜f23×(1/R3B-1/R3C)＜0.8          0.361      0.562      0.450
(6)-0.30＜f/f1＜0.20                      0.08       0.17      -0.26
(7)0.10＜f23/f2＜0.75                     0.33       0.17       0.66
(8)0.80＜f23/f3＜1.20                     1.08       1.12       0.96
【符号の説明】
【００９８】
Ｇ１      第１レンズ群
Ｇ２      第２レンズ群
Ｇ３      第３レンズ群
Ｌ３１    第３１接合レンズ
Ｓ        開口絞り
Ｉ        像面
ｄ        ｄ線
Ｃ        Ｃ線
ｇ        ｇ線
Ｆ        Ｆナンバー
△Ｓ      サジタル像面
△Ｍ      メリジオナル像面
【図１】
2014048488.tif 000004
【図２】
2014048488.tif 000005
【図３】
2014048488.tif 000006
【図４】
2014048488.tif 000007
【図５】
2014048488.tif 000008
【図６】
2014048488.tif 000009
【図７】
2014048488.tif 000010
【図８】
2014048488.tif 000011
【図９】
2014048488.tif 000012
【図１０】
2014048488.tif 000013
【図１１】
2014048488.tif 000014
【図１２】
2014048488.tif 000015
【図１３】
2014048488.tif 000016
【図１４】
2014048488.tif 000017
【図１５】
2014048488.tif 000018
【図１６】
2014048488.tif 000019
【図１７】
2014048488.tif 000020
【図１８】
2014048488.tif 000021
【図１９】
2014048488.tif 000022
【図２０】
2014048488.tif 000023
【図２１】
2014048488.tif 000024
【図２２】
2014048488.tif 000025
【図２３】
2014048488.tif 000026
【図２４】
2014048488.tif 000027
【図２５】
2014048488.tif 000028
【図２６】
2014048488.tif 000029
【図２７】
2014048488.tif 000030
【図２８】
2014048488.tif 000031
【図２９】
2014048488.tif 000032
【図３０】
2014048488.tif 000033
【図３１】
2014048488.tif 000034
【図３２】
2014048488.tif 000035
【図３３】
2014048488.tif 000036
【図３４】
2014048488.tif 000037
【図３５】
2014048488.tif 000038
【図３６】
2014048488.tif 000039
【図３７】
2014048488.tif 000040
【図３８】
2014048488.tif 000041
【図３９】
2014048488.tif 000042
【図４０】
2014048488.tif 000043
【図４１】
2014048488.tif 000044
【図４２】
2014048488.tif 000045
【図４３】
2014048488.tif 000046
【図４４】
2014048488.tif 000047
【図４５】
2014048488.tif 000048